(57)【特許請求の範囲】
【請求項１】
電力供給を抑制していない通常の電力状態と、電力供給を抑制して電力消費を節約する省電力状態との切り換えを行う電力切換手段を備えた携帯端末装置であって、
当該携帯端末装置に加わる振動状態を第１の状態として検出する第１状態検出手段と、
当該携帯端末装置の表面あるいは周囲の状態を第２の状態として検出する第２状態検出手段と、
前記電力切換手段により省電力状態に切り換えられていることにより所定の周辺デバイスへの電力供給が抑制されている場合に、前記第１状態検出手段により検出される第１の状態及び前記第２状態検出手段により検出される第２の状態に基づいて、前記所定の周辺デバイスへの電力供給の抑制を解除する電力制御手段と、  
を備え、
前記所定の周辺デバイスは、タッチ操作に応じてデータを入力するタッチ入力手段であり、
前記電力制御手段は、前記第１状態検出手段により検出される第１の状態及び前記第２状態検出手段により検出される第２の状態に基づいて、前記タッチ入力手段への電力供給の抑制を解除してタッチ操作を受け付ける入力可能な状態とするものであり、
さらに、前記省電力状態において前記電力制御手段により前記タッチ入力手段への電力供給の抑制が解除されてから所定時間内に前記タッチ入力手段へのタッチ操作が行われたか否かを判別するタッチ操作判別手段を備え、
前記電力制御手段は、前記タッチ操作判別手段により所定時間内にタッチ操作が行われなかったと判別された際に、前記タッチ入力手段への電力供給を再度抑制するものであり、
さらに、データを表示する表示手段を備え、
前記電力切換手段により省電力状態に切り換えられていることにより前記表示手段への電力供給が抑制されている場合において、前記電力制御手段は、前記タッチ操作判別手段により所定時間内にタッチ操作が行われたと判別された際に、前記表示手段への電力供給の抑制を解除する、
ことを特徴とする携帯端末装置。
【請求項２】
前記表示手段への電力供給の抑制が解除されてから所定時間内に前記タッチ入力手段から前記省電力状態を解除する操作が行われたかを判別する解除操作判別手段を更に備え、
前記電力切換手段は、前記解除操作判別手段により解除操作が前記タッチ入力手段で行われたと判別された場合に、前記省電力状態から前記通常の電力状態に切り換える、
ようにしたことを特徴とする請求項１に記載の携帯端末装置。
【請求項３】
前記所定の周辺デバイスは、被写体を撮影する撮像手段であり、
前記電力制御手段は、前記第１状態検出手段により検出される第１の状態及び前記第２状態検出手段により検出される第２の状態に基づいて、前記撮像手段への電力供給の抑制を解除することにより撮像可能な状態とする、
ようにしたことを特徴とする請求項１に記載の携帯端末装置。
【請求項４】
前記省電力状態において前記電力制御手段により前記撮像手段への電力供給の抑制が解除されてから当該撮像手段により撮影された画像に基づいて、本人確認を行う画像認識段を更に備え、
前記電力制御手段は、前記画像認識手段により本人であることが確認されなかった場合には、前記撮像手段への電力供給を再度抑制する、
ようにしたことを特徴とする請求項３記載の携帯端末装置。
【請求項５】
前記電力切換手段は、前記画像認識手段により本人であることが確認された場合に、前記省電力状態から前記通常の電力状態に切り換える、
ようにしたことを特徴とする請求項３あるいは請求項４に記載の携帯端末装置。
【請求項６】
前記電力制御手段は、前記タッチ入力手段前記第１状態検出手段により検出される第１の状態と前記第２状態検出手段により検出される第２の状態に基づいて、前記所定の周辺デバイスへの電力供給の抑制を解除する場合に、前記第２状態検出手段により検出される第２の状態が所定の条件を満たすか否かを判別し、その条件を満たすと判別されることにより前記所定の周辺デバイスへの電力供給の抑制を解除する、
ようにしたことを特徴とする請求項１〜請求項５のいずれかに記載の携帯端末装置。
【請求項７】
コンピュータに対して、
電力供給を抑制していない通常の電力状態と、電力供給を抑制して電力消費を節約する省電力状態との切り換えを行う電力切換機能と、
携帯端末装置に加わる振動状態を第１の状態として検出する第１状態検出機能と、
携帯端末装置の表面あるいは周囲の状態を第２の状態として検出する第２状態検出機能と、
前記省電力状態に切り換えられていることにより所定の周辺デバイスへの電力供給が抑制されている場合に、前記第１状態検出機能により検出される第１の状態及び前記第２状態検出機能により検出される第２の状態に基づいて、前記所定の周辺デバイスへの電力供給の抑制を解除する電力制御機能と、
を実現させるためのプログラムであって、
前記所定の周辺デバイスは、タッチ操作に応じてデータを入力するタッチ入力手段であり、
前記電力制御機能は、前記第１状態検出機能により検出される第１の状態及び前記第２状態検出機能により検出される第２の状態に基づいて、前記タッチ入力手段への電力供給の抑制を解除してタッチ操作を受け付ける入力可能な状態とするものであり、
さらに、前記省電力状態において前記電力制御機能により前記タッチ入力手段への電力供給の抑制が解除されてから所定時間内に前記タッチ入力手段へのタッチ操作が行われたか否かを判別するタッチ操作判別機能を実現させ、
前記電力制御機能は、前記タッチ操作判別機能により所定時間内にタッチ操作が行われなかったと判別された際に、前記タッチ入力手段への電力供給を再度抑制するものであり、
さらに、前記電力切換機能により省電力状態に切り換えられていることにより、データを表示する表示手段への電力供給が抑制されている場合において、前記電力制御機能は、前記タッチ操作判別機能により所定時間内にタッチ操作が行われたと判別された際に、前記表示手段への電力供給の抑制を解除する、
ことを特徴とするプログラム。
【発明の詳細な説明】
【技術分野】
【０００１】
本発明は、電力供給を抑制して節電が可能な携帯端末装置及びプログラムに関する。
【背景技術】
【０００２】
近年、スマートフォンと呼ばれている多機能型携帯電話機などの携帯端末装置にあっては、その操作入力デバイスとしてタッチパネルが搭載されているために機構的な押しボタンの数は極限られ、電源をＯＮ（オン）／ＯＦＦ（オフ）する電源ボタンのみとなっているものが多い。また、このような多機能型の携帯端末装置では、消費電力を低減する方法として、電力供給を抑制していない通常の電力状態（通常の電力モード）から電力供給を抑制して電力消費を節約する省電力状態（省電力モード）に切り換えるようにした節電方法が採られている。ここで、通常の電力モードから省電力モードへの切り換えは、前回操作から次の操作が行われるまでの無操作時間に応じて行われるもので、省電力モードに切り換えられると、液晶表示装置への電力供給が遮断されたり、その表示装置のバックライトが消灯されたりして、電力消費が極力抑えられる。
【０００３】
そして、従来では、上述の省電力モードに切り換えられると、表示部への電力供給を遮断するほか、メッセージ受信の処理頻度なども下げることで更に一層、電力消費を節約するようにした技術が知られている（特許文献１参照）。また、節電のために表示部のほか、タッチスクリーン部への電力供給も遮断するようにした技術も知られている（特許文献２参照）。
【先行技術文献】
【特許文献】
【０００４】
【特許文献１】特開２０１０−１１８８３４号公報
【特許文献２】特開２００７−３１１８４９号公報
【発明の概要】
【発明が解決しようとする課題】
【０００５】
ところで、上述の省電力モードでは、液晶表示装置への電力供給を遮断してその電源を“ＯＦＦ”したり、その表示装置のバックライトを消灯したり、タッチパネルへの電力供給を遮断してその電源を“ＯＦＦ”したりすることも考えられるが、タッチパネルへの電力供給を“ＯＦＦ”すると、タッチパネルに人体が触れても全く反応しなくなるために、機構的な電源ボタンを押下することにより省電力モードを解除して通常の電力モードに復帰させるしかなかった。
しかしながら、スマートフォンなどの携帯端末装置では、ユーザがその端末全体にカバーを装着することが多く、更に、電源ボタンの設置位置によっては、電源ボタンの押下操作が困難になることが多かった。そのため、省電力モードを解除する都度、電源ボタンを押下する操作が煩わしくなり、ユーザの利便性を損なう結果となっていた。
【０００６】
本発明の課題は、電力供給を抑制して電力消費を節約する省電力状態に切り換え可能な携帯端末装置において、機構的なボタン操作で省電力モードを解除して通常の電力状態に復帰させなくても、携帯端末装置を使用する直前に電力供給の一部の抑制を解除できるようにすることである。
【課題を解決するための手段】
【０００７】
上述した課題を解決するために本発明の一つの態様は、
電力供給を抑制していない通常の電力状態と、電力供給を抑制して電力消費を節約する省電力状態との切り換えを行う電力切換手段を備えた携帯端末装置であって、
当該携帯端末装置に加わる振動状態を第１の状態として検出する第１状態検出手段と、
当該携帯端末装置の表面あるいは周囲の状態を第２の状態として検出する第２状態検出手段と、
前記電力切換手段により省電力状態に切り換えられていることにより所定の周辺デバイスへの電力供給が抑制されている場合に、前記第１状態検出手段により検出される第１の状態及び前記第２状態検出手段により検出される第２の状態に基づいて、前記所定の周辺デバイスへの電力供給の抑制を解除する電力制御手段と、
を備え、
前記所定の周辺デバイスは、タッチ操作に応じてデータを入力するタッチ入力手段であり、
前記電力制御手段は、前記第１状態検出手段により検出される第１の状態及び前記第２状態検出手段により検出される第２の状態に基づいて、前記タッチ入力手段への電力供給の抑制を解除してタッチ操作を受け付ける入力可能な状態とするものであり、
さらに、前記省電力状態において前記電力制御手段により前記タッチ入力手段への電力供給の抑制が解除されてから所定時間内に前記タッチ入力手段へのタッチ操作が行われたか否かを判別するタッチ操作判別手段を備え、
前記電力制御手段は、前記タッチ操作判別手段により所定時間内にタッチ操作が行われなかったと判別された際に、前記タッチ入力手段への電力供給を再度抑制するものであり、
さらに、データを表示する表示手段を備え、
前記電力切換手段により省電力状態に切り換えられていることにより前記表示手段への電力供給が抑制されている場合において、前記電力制御手段は、前記タッチ操作判別手段により所定時間内にタッチ操作が行われたと判別された際に、前記表示手段への電力供給の抑制を解除する、
ことを特徴とする携帯端末装置である。
【０００８】
上述した課題を解決するために本発明の他の態様は、
コンピュータに対して、
電力供給を抑制していない通常の電力状態と、電力供給を抑制して電力消費を節約する省電力状態との切り換えを行う電力切換機能と、
携帯端末装置に加わる振動状態を第１の状態として検出する第１状態検出機能と、
携帯端末装置の表面あるいは周囲の状態を第２の状態として検出する第２状態検出機能と、
前記省電力状態に切り換えられていることにより所定の周辺デバイスへの電力供給が抑制されている場合に、前記第１状態検出機能により検出される第１の状態及び前記第２状態検出機能により検出される第２の状態に基づいて、前記所定の周辺デバイスへの電力供給の抑制を解除する電力制御機能と、
を実現させるためのプログラムであって、
前記所定の周辺デバイスは、タッチ操作に応じてデータを入力するタッチ入力手段であり、
前記電力制御機能は、前記第１状態検出機能により検出される第１の状態及び前記第２状態検出機能により検出される第２の状態に基づいて、前記タッチ入力手段への電力供給の抑制を解除してタッチ操作を受け付ける入力可能な状態とするものであり、
さらに、前記省電力状態において前記電力制御機能により前記タッチ入力手段への電力供給の抑制が解除されてから所定時間内に前記タッチ入力手段へのタッチ操作が行われたか否かを判別するタッチ操作判別機能を実現させ、
前記電力制御機能は、前記タッチ操作判別機能により所定時間内にタッチ操作が行われなかったと判別された際に、前記タッチ入力手段への電力供給を再度抑制するものであり、
さらに、前記電力切換機能により省電力状態に切り換えられていることにより、データを表示する表示手段への電力供給が抑制されている場合において、前記電力制御機能は、前記タッチ操作判別機能により所定時間内にタッチ操作が行われたと判別された際に、前記表示手段への電力供給の抑制を解除する、
ことを特徴とするプログラムである。
【発明の効果】
【０００９】
本発明によれば、電力供給を抑制して電力消費を節約する省電力状態に切り換え可能な携帯端末装置において、機構的なボタン操作で省電力モードを解除して通常の電力状態に復帰させなくても、携帯端末装置を使用する直前に電力供給の一部の抑制を解除することができ、利便性及び実用性に富んだものとなる。
【図面の簡単な説明】
【００１０】
【図１】携帯端末装置として適用したスマートフォンと呼ばれている多機能型携帯電話機の基本的な構成を示したブロック図。
【図２】携帯電話機の外観斜視図。
【図３】通常の電力モード、省電力モードに対応して、携帯電話機を構成する構成要素（ブロック）毎に、その電力供給状態を説明するための図。
【図４】第１実施形態の特徴部分を中心として携帯電話機の全体動作の概要を示したフローチャート。
【図５】図４に続く動作を示したフローチャート。
【図６】第２実施形態において携帯端末装置として適用したスマートフォンと呼ばれている多機能型携帯電話機の基本的な構成を示したブロック図。
【図７】第２実施形態において図４に続く携帯電話機の動作を示したフローチャート。
【図８】本発明の機能を説明するための機能ブロック図。
【発明を実施するための形態】
【００１１】
以下、本発明の実施の形態について、図面を参照して詳細に説明する。
（第１実施形態）
先ず、図１〜図５を参照して本発明の第１実施形態を説明する。
図１は、携帯端末装置として適用したスマートフォンと呼ばれている多機能型の携帯電話機の基本的な構成を示したブロック図である。
この携帯電話機（スマートフォン）は、音声通話機能、電子メール機能、インターネット接続機能（Ｗｅｂアクセス機能）などの各種の機能を備えたもので、図１では図示省略したが、無線通信部、通話用スピーカ、通話用マイクなどを有している。そして、携帯電話機は、無線通信網（図示省略）を介して他の携帯電話機に接続されると、その他の携帯電話機との間で通話可能な状態となったり、電子メールの送受信が可能となったりする。また、携帯電話機は、無線通信網を介してインターネット（図示省略）に接続されると、Ｗｅｂサイトをアクセスして閲覧可能となったり、動画、音楽などのマルチメディアなコンテンツをダウンロード可能となったりする。
【００１２】
ＣＰＵ１は、二次電池を備えた電池部（図示省略）からの電力供給によって動作し、メモリ部２内の各種のプログラムに応じてこの携帯電話機の全体動作を制御する中央演算処理装置である。メモリ部２には、図４及び図５に示した動作手順に応じて本実施形態を実現するためのプログラムや各種のアプリケーションなどが格納されているほか、それに必要とするデータや後述する無操作時間用のタイマ設定値、ユーザが保存したデータ、各種の設定値などが記憶され、更には、一時的にデータを記憶するワークメモリとしても使用可能となっている。なお、メモリ部２は、例えば、ＳＤカード、ＩＣカードなど、着脱自在な可搬型メモリ（記録メディア）を含む構成であってもよい。
【００１３】
タイマ部３は、前回操作が行われてから次の操作が行われるまでの無操作時間を計測するためのタイマで、ＣＰＵ１は、このタイマ部３により計測された無操作時間が所定のタイマ設定値に越えたことを検出すると、電力モードの切り換えを行うことにより、電力供給を抑制していない通常の電力状態（通常の電力モード）から電力供給を抑制して電力消費を節約する省電力状態（省電力モード）に切り換えるようにしている。電源ボタン４は、携帯電話機の電源をＯＮ（オン）／ＯＦＦ（オフ）する機構的な押しボタンで、ＣＰＵ１は、通常の電力モード下で電源ボタン４が押下されると、電源オフ処理を行うが、省電力モードに切り換えられている状態において電源ボタン４が押下されたときには、その省電力モードを解除して通常の電力モードに復帰させるようにしている。
【００１４】
加速度センサ５は、省電力モードに切り換えられている状態において、携帯電話機に加えられる振動（揺れ）の状態を、携帯電話機の第１の状態として検出して、その振動（加速度）の大きさに応じた振動波形の電圧値を出力するもので、例えば、互いに直交する３軸方向（Ｘ・Ｙ・Ｚ方向）の加速度成分、つまり、前後、左右、上下の３軸にかかる加速度の大きさに比例した電圧値を出力する構成の３軸加速度センサであるが、３軸加速度センサに限らないことは勿論である。ＣＰＵ１は、省電力モードに切り換えられている状態において、加速度センサ５により検出された３軸の振動（加速度）の大きさが所定の基準値（基準加速度値）以上に達したか否かに基づいて、例えば、携帯電話機が手に持たれたか、手に持たれている状態の携帯電話機が移動されたかなど、携帯電話機を使用する可能性があるか状態になったか否かを判別するようにしている。なお、前後、左右、上下の３軸の加速度成分に対応する基準加速度値を設定するようにしてもよいが、勿論、３軸の加速度成分に共通する基準加速度値を設定するようにしてもよい。
【００１５】
照度センサ６は、省電力モードに切り換えられている状態において、携帯電話機の周囲の明るさを、携帯電話機の第２の状態として検出する照度計であり、ＣＰＵ１は、照度センサ６によって検出された周辺光量が基準値（基準照度値）以上か否かに基づいて、携帯電話機が鞄や衣服のポケットなどに収められている可能性がないか否かを判別するようにしている。この場合、周辺光量が基準照度値以上の明るい環境下であれば、携帯電話機が鞄や衣服のポケットなどに収められていない環境で、携帯電話機を使用する可能性があると判別するが、周辺光量が基準照度値未満の暗い環境下であれば、携帯電話機が鞄や衣服のポケットなどに収められている可能性があり、携帯電話機を使用する可能性がないと判別するようにしている。
【００１６】
一方、ＣＰＵ１には、その周辺デバイスとしてＬＣＤ（液晶表示装置）７、タッチパネル８などが接続されている。このＬＣＤ７とタッチパネル８は、タッチスクリーン（タッチ入力表示部）を構成するもので、ＬＣＤ７の上面全体に透明なタッチパネル８が積層配設されている。このＬＣＤ７側にはＬＣＤ電源９、ＬＣＤコントローラ１０が備えられ、タッチパネル８側にはタッチパネル電源１１、タッチパネルコントローラ１２が備えられている。なお、ＬＣＤ７は、ＬＣＤコントローラ１０によって制御され、ＬＣＤ電源９は、ＣＰＵ１による制御の下、ＬＣＤコントローラ１０、ＬＣＤ７に対して電力供給を行う。タッチパネル８は、タッチパネルコントローラ１２によって制御され、タッチパネル電源１１は、ＣＰＵ１による制御の下、タッチパネルコントローラ１２、タッチパネル８に対して電力供給を行う。
【００１７】
図２は、携帯電話機の外観斜視図である。
携帯電話機の筐体全体は、薄型長方体を成し、その前面部の略全域には、タッチスクリーン（タッチ入力表示部）を構成するＬＣＤ７及びタッチパネル８が配設されている。また、筐体の前面部においてＬＣＤ７及びタッチパネル８の下方（筐体の前面下端部）には、加速度センサ５及び照度センサ６が配設されている。また、電源ボタン４は、誤操作を防ぐためにユーザが容易に操作することができない位置として、筐体の上端部に配設されている。なお、加速度センサ５、照度センサ６、電源ボタン４の配設位置は、上述の位置に限らないことは勿論である。
【００１８】
図３は、通常の電力モード、省電力モードに対応して、携帯電話機を構成する構成要素（ブロック）毎に、その電力供給状態を説明するための図である。
通常の電力モードにおいては、全ての構成要素（ブロック）、つまり、ＣＰＵ１、メモリ部２、タイマ部３、電源ボタン４、加速度センサ５、照度センサ６、ＬＣＤ７、タッチパネル８、ＬＣＤ電源９、ＬＣＤコントローラ１０、タッチパネル電源１１、タッチパネルコントローラ１２などに対して電力供給が行われる電源“ＯＮ”状態となっている。省電力モードにおいては、ＣＰＵ１、メモリ部２、タイマ部３、電源ボタン４、加速度センサ５、照度センサ６に対しては、電力供給が行われる電源“ＯＮ”状態となっているが、ＬＣＤ７、タッチパネル８、ＬＣＤ電源９、ＬＣＤコントローラ１０、タッチパネル電源１１、タッチパネルコントローラ１２などに対しては、電力供給が抑制（遮断）される電源“ＯＦＦ”状態となっている。なお、省電力モードにおいてＣＰＵ１は、最低限動作可能な電源“ＯＮ”状態となっている。
【００１９】
次に、第１実施形態における携帯電話機の動作概念を図４及び図５に示すフローチャートを参照して説明する。ここで、このフローチャートに記述されている各機能は、読み取り可能なプログラムコードの形態で格納されており、このプログラムコードにしたがった動作が逐次実行される。
図４及び図５は、第１実施形態の特徴部分を中心として携帯電話機の全体動作の概要を示したフローチャートである。
先ず、ＣＰＵ１は、電源ボタン４により電源ＯＮ操作（押下操作）が行われると（ステップＳ１でＹＥＳ）、通常の電力モードとなり、携帯電話機の各構成要素（ブロック）に対して電力供給を開始させる（ステップＳ２）。
【００２０】
そして、タイマリセット・スタート、つまり、タイマ部３の計測値をリセットしてその計測動作を開始（ステップＳ３）させた後、電源ボタン４により電源ＯＦＦ操作（押下操作）が行われたかを調べたり（ステップＳ４）、その他の操作が行われたかを調べたり（ステップＳ５）、タイマ部３の計測値が無操作時間（タイマ設定値）ＴＳ以上に達したかを調べたりする（ステップＳ８）。いま、電源ＯＦＦ操作が行われたときには（ステップＳ４でＹＥＳ）、電源ＯＦＦ処理（図示省略）を実行後に図４及び図５のフローの終了となる。
【００２１】
また、その他の操作が行われたときには（ステップＳ５でＹＥＳ）、その操作に応じた処理（ステップＳ６）として、例えば、着信時には、通話を開始させる処理、発信時には、電話番号入力処理やアドレス帳の呼出し処理、メール作成時には、電子メール作成処理などを行う。そして、タイマ部３をタイマリセット・スタートさせた後（ステップＳ７）、ステップＳ８に移る。以下、電源ＯＦＦ操作以外の操作が行われる毎に、上述の操作に応じた処理が実行される（ステップＳ６）。
【００２２】
いま、タイマ部３の計測値が無操作時間（タイマ設定値）ＴＳ以上に達したときには（ステップＳ８でＹＥＳ）、通常の電力モードから省電力モードに切り換える（ステップＳ９）。この場合、その旨のメッセージをＬＣＤ７に表示させてから省電力モードに切り換えるようにしてもよい。ここで、省電力モードに切り換えられると、ＣＰＵ１、メモリ部２、タイマ部３、電源ボタン４、加速度センサ５、照度センサ６に対しては、そのまま電力供給が継続されるが、ＬＣＤ７、タッチパネル８、ＬＣＤ電源９、ＬＣＤコントローラ１０、タッチパネル電源１１、タッチパネルコントローラ１２などに対しては、その電力供給が抑制（遮断）される。これによってＬＣＤ７の表示は消去され、タッチパネル８は使用不可能な状態となる。
【００２３】
この省電力モードにおいて、加速度センサ５により検出された加速度（振動）の大きさＳ１を取得し（ステップＳ１０）、その加速度値Ｓ１は、予め設定されている基準加速度値（閾値）Ｓ以上であるか否かを判別する（ステップＳ１１）。ここで、検出された加速度値Ｓ１がその基準加速度値Ｓ以上であれば（ステップＳ１１でＹＥＳ）、携帯電話機が手に持たれたか、手に持たれている状態の携帯電話機が移動されたかなど、携帯電話機を使用する可能性が高いと判断するが、加速度値Ｓ１がその基準加速度値Ｓ未満であれば（ステップＳ１１でＮＯ）、その可能性がないと判断して、上述のステップＳ１０に戻り、省電力モードをそのまま維持する。いま、検出された加速度値Ｓ１がその基準加速度値Ｓ以上であれば、つまり、携帯電話機を使用する可能性が高ければ（ステップＳ１１でＹＥＳ）、照度センサ６によって検出された携帯電話機の周囲の明るさＬ１を取得する（ステップＳ１２）。
【００２４】
そして、照度センサ６から取得した照度値Ｌ１は、予め設定されている基準照度値（閾値）Ｌ以上であるか否かを判別する（ステップＳ１３）。ここで、検出された照度値Ｌ１がその基準照度値Ｌ以上であれば（ステップＳ１３でＹＥＳ）、携帯電話機が鞄や衣服のポケットなどから取り出されている可能性がある、つまり、鞄や衣服のポケットなどに収められていない可能性が高いと判断するが、検出された照度値Ｌ１がその基準照度値Ｌ未満であれば（ステップＳ１３でＮＯ）、鞄や衣服のポケットなどに収められている可能性があると判断して、上述のステップＳ１０に戻り、省電力モードをそのまま維持する。いま、検出された照度値Ｌ１がその基準照度値Ｌ以上の明るい環境下であれば、つまり、鞄や衣服のポケットなどに収められていない可能性が高ければ（ステップＳ１３でＹＥＳ）、図５のフローに移り、タッチパネル電源１１を“ＯＮ”することにより、タッチパネル８及びタッチパネルコントローラ１２への電力供給の抑制を解除する（ステップＳ１４）。これによってタッチパネル８が使用可能な状態（タッチ操作を受け付ける入力可能な状態）に復帰することになる。
【００２５】
すなわち、省電力モードにおいて、加速度値Ｓ１がその基準加速度値Ｓ以上で、かつ照度値Ｌ１がその基準照度値Ｌ以上であることが検出されると、携帯電話機が使用される可能性が高いものと判断して、タッチパネル８及びタッチパネルコントローラ１２を起動させる。そして、タイマ部３をタイマリセット・スタートさせた後（ステップＳ１５）、タイマ部３の計測値が無操作時間（タイマ設定値）ＴＳを経過する前（タイマ設定値ＴＳの時間以内）に、タッチパネル８に対してタッチ操作が行われたかを調べる（ステップＳ１６）。なお、タッチパネル８へのタッチ位置は、そのパネル中央部に限らず、パネル周辺部など、どの位置であってもよい。いま、タイマ設定値ＴＳの時間以内にタッチ操作が行われなければ（ステップＳ１６でＮＯ）、タッチパネル電源１１を“ＯＦＦ”することによりタッチパネル８及びタッチパネルコントローラ１２への電力供給を再度抑制する（ステップＳ２０）。その後、加速度検出を行う図４のステップＳ１０に戻る。
【００２６】
また、タイマ設定値ＴＳの時間以内にタッチ操作が行われたときには（図５のステップＳ１６でＹＥＳ）、タッチパネル８に電源を供給したままの状態で、更にＬＣＤ電源９を“ＯＮ”することによりＬＣＤ７及びＬＣＤコントローラ１０への電力供給の抑制を解除する（ステップＳ１７）。これによってＬＣＤ７の表示可能な状態に復帰するようになる。そして、タイマ部３をタイマリセット・スタートさせた後（ステップＳ１８）、タイマ部３の計測値が無操作時間（タイマ設定値）ＴＳを経過する前（タイマ設定値ＴＳの時間以内）に、ロック解除操作が行われたかを調べる（ステップＳ１９）。このロック解除操作は、例えば、ユーザパスワードを入力することによりセキュリティロックを解除させるための操作である。
【００２７】
ここで、タイマ設定値ＴＳの時間以内にロック解除操作が行われなければ（ステップＳ１９でＮＯ）、ＬＣＤ電源９を“ＯＦＦ”することによりＬＣＤ７及びＬＣＤコントローラ１０への電力供給を再度抑制すると共に（ステップＳ２１）、タッチパネル電源１１を“ＯＦＦ”することによりタッチパネル８及びタッチパネルコントローラ１２への電力供給を再度抑制する（ステップＳ２０）。その後、加速度検出を行う図４のステップＳ１０に戻る。また、タイマ設定値ＴＳの時間以内にロック解除操作が行われたときには（ステップＳ１９でＹＥＳ）、図４のステップＳ２に移行して、省電力モードから通常の電力モードに切り換える。なお、図４及び図５のフローチャートでは図示省略したが、省電力モード下において電源ボタン４が押下されたときにも、省電力モードを解除して通常の電力モードに復帰させるようにしている。
【００２８】
以上のように、第１実施形態においてＣＰＵ１は、省電力モードにより所定の周辺デバイスへの電力供給を抑制している状態で、携帯電話機に加えられる振動が加速度センサ５により第１の状態として検出され、携帯電話機の周囲の明るさが照度センサ６により第２の状態として検出された場合に、この第１の状態及び第２の状態に基づいて、所定の周辺デバイスへの電力供給の抑制を解除するようにしたので、省電力モードにおいて、機構的なボタン操作で省電力モードを解除して通常の電力モードに復帰させなくても、携帯電話機を使用する直前に電力供給の一部の抑制を解除することができ、利便性及び実用性に富んだものとなる。すなわち、ユーザにあっては、携帯電話機を使用するために、例えば、携帯電話機を手に持ったり、手に持たれている状態の携帯電話機を移動したり、鞄や衣服のポケットなどから携帯電話機を取り出したりする行為を行うだけで、機構的なボタン操作を要求することなく、一部の電力供給の抑制を解除することができる。このため、電源ボタン４を操作し易い位置に配置する必要がなく、デザイン上の制約から解放されて大画面化などの点でも有利なものとなり、利便性に富んだ実用効果の高いものとなる。
【００２９】
所定の周辺デバイスは、タッチパネル８であり、第１の状態及び第２の状態に基づいてタッチパネル８への電力供給の抑制を解除してタッチ操作を受け付ける入力可能な状態とするようにしたので、省電力モード下でタッチパネル８への電力供給を抑制したとしても、携帯電話機を使用する直前で、タッチパネル８が起動されているために直ちにタッチ操作を行うことができる。
【００３０】
タッチパネル８への電力供給の抑制を解除してから所定時間内にタッチ操作が行われなかった場合には、タッチパネル８への電力供給を再度抑制するようにしたので、携帯電話機が使用される可能性があるものとしてタッチパネル８を起動させたとしても、その後、タッチ操作が所定時間行われなければ、タッチパネル８への電力供給を再度抑制されるため、無駄な電力消費を抑えることができる。
【００３１】
タッチパネル８への電力供給の抑制を解除してから所定時間内にタッチ操作が行われた場合には、ＬＣＤ７への電力供給の抑制を解除するようにしたので、ユーザにあってはタッチパネル８を触れた後、直ちにパスワードなどの入力状態をＬＣＤ７の表示内容で確認しながら入力操作を行うことが可能となる。
【００３２】
ＬＣＤ７への電力供給の抑制を解除してから所定時間内に省電力モードを解除する操作がタッチパネル８上で行われた場合には、通常の電力モードに切り換えるようにしたので、タッチパネル８上での操作で省電力モードから通常の電力モードに復帰させることができる。
【００３３】
なお、上述した第１実施形態においては、タッチパネル８への電力供給の抑制を解除してから所定時間内にタッチ操作が行われたか否かを判別する場合に、その所定時間として無操作時間（タイマ設定値）ＴＳを使用するようにしたが、これに限らない。同様に、ＬＣＤ７への電力供給の抑制を解除してから所定時間内に省電力モードを解除する操作がタッチパネル８上で行われたか否かを判別する場合に、その所定時間として無操作時間（タイマ設定値）ＴＳを使用するようにしたが、これに限らない。
【００３４】
また、上述した第１実施形態においては、ＬＣＤ７を照明するバックライト（図示省略）については言及しなかったが、ＬＣＤ７への電力供給の抑制を解除した際に、バックライトを所定時間点灯させたり、点滅させたりすることによりユーザに対して操作を促すようにしてもよい。また、タッチパネル８が延長された延長部（タッチキー、タッチセンサ）を有する携帯電話機にあっては、その延長部に割り当てられている機能（例えば、音楽再生の停止、再生、早送り、巻き戻し）が該延長部へのタッチ操作で動作させるために省電力モードでもＬＣＤ７を全部真っ暗にしなくてもよい。
【００３５】
（実施形態２）
以下、この発明の第２実施形態について図６及び図７を参照して説明する。
なお、上述した第１実施形態においては、省電力モードにより電力供給が抑制される所定の周辺デバイスとしてタッチパネル８に適用した場合で、タッチパネル８への電力供給を抑制している状態において、速度センサ５及び照度センサ６の検出結果に応じてタッチパネル８への電力供給の抑制を解除するようにしたが、この第２実施形態においては、省電力モードにより電力供給が抑制される所定の周辺デバイスとしてカメラ（撮像装置）に適用した場合で、カメラへの電力供給を抑制している状態において、速度センサ５及び照度センサ６の検出結果に応じて、カメラへの電力供給の抑制を解除するようにしたものである。ここで、両実施形態において基本的あるいは名称的に同一のものは、同一符号を付して示し、その説明を省略すると共に、以下、第２実施形態の特徴部分を中心に説明するものとする。
【００３６】
図６は、第２実施形態において携帯端末装置として適用したスマートフォンと呼ばれている多機能型の携帯電話機の基本的な構成を示したブロック図である。
この携帯電話機（スマートフォン）は、上述した第１実施形態と同様の機能のほか、第２実施形態においては、カメラ機能と、このカメラ機能により撮影された画像に基づいてユーザ確認（本人確認）を行う画像認識機能を有している。そして、携帯電話機は、第１実施形態と同様にＣＰＵ１を中核として、メモリ部２、タイマ部３、電源ボタン４、加速度センサ５、照度センサ６、ＬＣＤ７、タッチパネル８、ＬＣＤ電源９、ＬＣＤコントローラ１０、タッチパネル電源１１、タッチパネルコントローラ１２を有している。更に、第２実施形態の携帯電話機には、カメラ１３、カメラ電源１４、カメラコントローラ１５が設けられている。
【００３７】
カメラ１３は、省電力モードにおいて電力供給が抑制される所定の周辺デバイスで、被写体を撮影するＣＣＤなどの撮像素子を有し、カメラコントローラ１５によって制御される。そして、カメラ１３は、携帯電話機の筐体の前面部においてタッチスクリーン（タッチ入力表示部）を構成するＬＣＤ７及びタッチパネル８の近傍（例えば、下側）に配設されている。つまり、カメラ１３は、ＬＣＤ７、タッチパネル８と同様に筐体の前面部に配設されている。カメラ電源１４は、ＣＰＵ１による制御の下、カメラコントローラ１５、カメラ１３に電力供給を行うもので、省電力モードではカメラ電源１４を“ＯＦＦ”することによりカメラコントローラ１５、カメラ電源１４への電力供給を抑制（遮断）するようにしている。
【００３８】
図７は、第２実施形態において図４に続く携帯電話機の動作を示したフローチャートである。なお、第２実施形態においても図４のフローにしたがつた動作が行われる。
先ず、ＣＰＵ１は、省電力モードにおいて加速度センサ５により検出された加速度値Ｓ１がその基準加速度値Ｓ以上であり（図４のステップＳ１１でＹＥＳ）、かつ照度センサ６により検出された照度値Ｌ１がその基準照度値Ｌ以上であれば（ステップＳ１３でＹＥＳ）、携帯電話機が使用される可能性が高いものとして、図７のフローに移り、カメラ電源１４を“ＯＮ”することによりカメラ１３及びカメラコントローラ１５への電力供給の抑制を解除する（ステップＳ２１）。これによってカメラ１３が起動されて（ステップＳ２２）、自動撮影が行われる（ステップＳ２３）。そして、ＣＰＵ１は、このカメラ１３により撮影された画像を解析することにより人物の顔部分を検出することができたかを調べる（ステップＳ２４）。
【００３９】
いま、人物の顔を検出することができなければ（ステップＳ２４でＮＯ）、カメラ電源１４を“ＯＦＦ”することによりカメラ１３及びカメラコントローラ１５への電力供給を再度抑制する（ステップＳ２７）。その後、加速度検出を行う図４のステップＳ１０に戻る。また、人物の顔を検出することができたときには（ステップＳ２４でＹＥＳ）、ユーザ本人の画像として予め登録されている登録顔画像と照合することにより本人確認を行う（ステップＳ２５）。その結果、本人でなければ（ステップＳ２５でＮＯ）、上述のステップＳ２７に移り、カメラコント電源１５を“ＯＦＦ”することによりカメラ１３及びカメラコントローラ１５への電力供給を再度抑制するが、本人であると確認することができたときには（ステップＳ２５でＹＥＳ）、セキュリティロックを解除する（ステップＳ２６）。そして、図４のステップＳ２に移行して、省電力モードから通常の電力モードに切り換える。
【００４０】
以上のように、第２実施形態においてＣＰＵ１は、省電力モードによりカメラ１３への電力供給を抑制している状態で、加速度センサ５により携帯電話機に加えられる振動が第１の状態として検出され、照度センサ６により携帯電話機の周囲の明るさが第２の状態として検出された場合に、この第１の状態及び第２の状態に基づいて、カメラ１３への電力供給の抑制を解除して撮影可能な状態とするようにしたので、省電力モードへの切り換えによりカメラ１３への電力供給を抑制したとしても、携帯電話機を使用する直前でカメラ１３への電力供給の抑制を解除することでカメラを起動させることができる。
【００４１】
そして、省電力モードにおいてカメラ１３への電力供給の抑制を解除してからその撮影画像に基づいて、本人確認を行った結果、本人を確認することができなかった場合には、カメラ１３への電力供給を再度抑制するようにしたので、無駄な電力消費を抑えることができる。
【００４２】
また、省電力モードにおいてカメラ１３への電力供給の抑制を解除してからその撮影画像に基づいて、本人確認を行った結果、本人であれば、通常の電力モードに復帰するようにしたので、ユーザにあっては特別に意識することなく、その復帰を容易に実現することができ、利便性に富んだ実用効果の高いものとなる。
【００４３】
なお、上述した各実施形態においては、携帯電話機に加えられる振動が加速度センサ５により第１の状態として検出され、携帯電話機の周囲の明るさが照度センサ６により第２の状態として検出された場合に、この第１の状態及び第２の状態に基づいて、所定の周辺デバイスへの電力供給の抑制を解除するようにしたが、第２の状態が所定の条件を満たしているか否かを判別し、その条件を満たしていると判別された場合に電力供給の抑制を解除するようにしてもよい。例えば、第２の状態が満たす条件を“時間帯”であるとすれば、深夜や早朝の時間帯では照度センサ６による検出結果を無視し、加速度センサ５による検出結果だけで電力供給の抑制を解除するようにしてもよい。これによって就寝中など、真っ暗な状態において、いつまでも電力供給の抑制を解除することができないという事態を防ぐことができる。
【００４４】
また、上述した各実施形態においては、基準加速度値Ｓを固定値としたが、照度センサ６による検出結果に応じて基準加速度値Ｓを変更するようにしてもよい。例えば、照度センサ６が暗い状態であることを検出した場合に、基準加速度値Ｓを大きくするようにすれば、鞄やポケット内での小さな加速度検出で電力供給の抑制が解除されるような誤動作を防止することが可能となる。つまり、暗い状態では大きな加速度検出により電力供給の抑制を解除するようにすればよい。これによって就寝中など、真っ暗な状態において、いつまでも電力供給の抑制を解除することができないという事態を防ぐことが可能となる。
【００４５】
また、上述した各実施形態においては、省電力モードにより所定の周辺デバイスへの電力供給を抑制する場合に、その電力供給を遮断するようにしたが、遮断に限らず、例えば、周辺デバイスに対して部分的に供給したり、供給電力量を下げたり、間欠的に供給したりするなど、電力供給の抑制の仕方は任意である。
【００４６】
また、上述した各実施形態においては、加速度センサ５により検出された加速度値Ｓ１がその基準加速度値Ｓ以上、かつ照度センサ６により検出された照度値Ｌ１がその基準照度値Ｌ以上であれば、携帯電話機が使用される可能性が高いものと判別するようにしたが、加速度、照度の変化状態に応じて携帯電話機が使用される可能性が高いものと判別するようにしてもよい。すなわち、検出結果と閾値（基準加速度値Ｓ、基準照度値Ｌ）とを比較する場合に限らず、振動が急激に大きくなった場合などのように加速度の変化状態を検出したり、急激に明るくなった場合などのように照度の変化状態を検出したりすることにより、この加速度の変化状態、照度の変化状態に基づいて、携帯電話機が使用される可能性が高いものとして判別するようにしてもよい。
【００４７】
また、上述した各実施形態においては、携帯電話機の表面あるいは周囲の状態を第２の状態として検出するセンサとして照度センサ６を例示したが、照度センサ６に限らず、例えば、人物が接近してくる状態を検出する誘導型・静電容量型・電磁波型・赤外線型などの近接センサであってもよく、更には、人体が触れたことを検出する接触センサや温度センタなどで、携帯電話機の表面あるいは周囲の状態を検出するようにしてもよい。
【００４８】
上述した各実施形態においては、携帯端末装置として携帯電話機に適用した場合を示したが、携帯端末装置は、デジタルカメラ（コンパクトカメラ）、ＰＤＡ（個人向け携帯型情報通信機器）、携帯型音楽プレイヤー、携帯型ゲーム機などであってもよい。
【００４９】
その他、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５０】
上記の各実施形態の一部又は全部は、以下の付記のように記載され得るが、これに限定されるものではない。以下、本発明の諸態様を付記としてまとめて記載する。
【００５１】
（付記１）
図８は、付記１の構成図である。この図に示すように、付記１記載の発明は、
電力供給を抑制していない通常の電力状態と、電力供給を抑制して電力消費を節約する省電力状態との切り換えを行う電力切換手段１０１を備えた携帯端末装置であって、
当該携帯端末装置に加わる振動状態を第１の状態として検出する第１状態検出手段１０２（図１ではＣＰＵ１、加速度センサ５）と、
当該携帯端末装置の表面あるいは周囲の状態を第２の状態として検出する第２状態検出手段１０３（図１ではＣＰＵ１、照度センサ６）と、
前記電力切換手段１０１により省電力状態に切り換えられていることにより所定の周辺デバイス１０４（図１ではタッチパネル８、図６ではカメラ１３）への電力供給が抑制されている場合に、前記第１状態検出手段１０２により検出される第１の状態及び前記第２状態検出手段１０３により検出される第２の状態に基づいて、前記所定の周辺デバイスへの電力供給の抑制を解除する電力制御手段１０５（図１ではＣＰＵ１、ＬＣＤ電源９、タッチパネル電源１１、図６ではカメラ電源１４）と、
を備えたことを特徴とする携帯端末装置。
【００５２】
（付記２）
前記所定の周辺デバイスは、タッチ操作に応じてデータを入力するタッチ入力手段であり、
前記電力制御手段は、前記第１状態検出手段により検出される第１の状態及び前記第２状態検出手段により検出される第２の状態に基づいて、前記タッチ入力手段への電力供給の抑制を解除してタッチ操作を受け付ける入力可能な状態とする、
ようにしたことを特徴とする請求項１記載の携帯端末装置。
【００５３】
（付記３）
前記省電力状態において前記電力制御手段により前記タッチ入力手段への電力供給の抑制が解除されてから所定時間内に前記タッチ入力手段へのタッチ操作が行われたか否かを判別するタッチ操作判別手段を更に備え、
前記電力制御手段は、前記タッチ操作判別手段により所定時間内にタッチ操作が行われなかったと判別された際に、前記タッチ入力手段への電力供給を再度抑制する、
ようにしたことを特徴とする請求項２記載の携帯端末装置。
【００５４】
（付記４）
データを表示する表示手段を更に備え、
前記電力切換手段により省電力状態に切り換えられていることにより前記表示手段への電力供給が抑制されている場合において、前記電力制御手段は、前記タッチ操作判別手段により所定時間内にタッチ操作が行われたと判別された際に、前記表示手段への電力供給の抑制を解除する、
ようにしたことを特徴とする請求項３記載の携帯端末装置。
【００５５】
（付記５）
前記表示手段への電力供給の抑制が解除されてから所定時間内に前記タッチ入力手段から前記省電力状態を解除する操作が行われたかを判別する解除操作判別手段を更に備え、
前記電力切換手段は、前記解除操作判別手段により解除操作が前記タッチ入力手段で行われたと判別された場合に、前記省電力状態から前記通常の電力状態に切り換える、
ようにしたことを特徴とする請求項４に記載の携帯端末装置。
【００５６】
（付記６）
前記所定の周辺デバイスは、被写体を撮影する撮像手段であり、
前記電力制御手段は、前記第１状態検出手段により検出される第１の状態及び前記第２状態検出手段により検出される第２の状態に基づいて、前記撮像手段への電力供給の抑制を解除することにより撮像可能な状態とする、
ようにしたことを特徴とする請求項１に記載の携帯端末装置。
【００５７】
（付記７）
前記省電力状態において前記電力制御手段により前記撮像手段への電力供給の抑制が解除されてから当該撮像手段により撮影された画像に基づいて、本人確認を行う画像認識段を更に備え、
前記電力制御手段は、前記画像認識手段により本人であることが確認されなかった場合には、前記撮像手段への電力供給を再度抑制する、
ようにしたことを特徴とする請求項６記載の携帯端末装置。
【００５８】
（付記８）
前記電力切換手段は、前記画像認識手段により本人であることが確認された場合に、前記省電力状態から前記通常の電力状態に切り換える、
ようにしたことを特徴とする請求項６あるいは請求項７に記載の携帯端末装置。
【００５９】
（付記９）
前記電力制御手段は、前記タッチ入力手段前記第１状態検出手段により検出される第１の状態と前記第２状態検出手段により検出される第２の状態に基づいて、前記所定の周辺デバイスへの電力供給の抑制を解除する場合に、前記第２状態検出手段により検出される第２の状態が所定の条件を満たすか否かを判別し、その条件を満たすと判別されることにより前記所定の周辺デバイスへの電力供給の抑制を解除する、
ようにしたことを特徴とする請求項１〜請求項８のいずれかに記載の携帯端末装置。
【００６０】
（付記１０）
コンピュータに対して、
電力供給を抑制していない通常の電力状態と、電力供給を抑制して電力消費を節約する省電力状態との切り換えを行う機能と、
携帯端末装置に加わる振動状態を第１の状態として検出する機能と、
携帯端末装置の表面あるいは周囲の状態を第２の状態として検出する機能と、
前記省電力状態に切り換えられていることにより所定の周辺デバイスへの電力供給が抑制されている場合に、前記検出される第１の状態及び前記検出される第２の状態に基づいて、前記所定の周辺デバイスへの電力供給の抑制を解除する機能と、
を実現させるためのプログラム。
【符号の説明】
【００６１】
１  ＣＰＵ
２  メモリ部
３  タイマ部
４  電源ボタン
５  加速度センサ
６  照度センサ
７  ＬＣＤ
８  タッチパネル
９  ＬＣＤ電源
１０  ＬＣＤコントローラ
１１  タッチパネル電源
１２  タッチパネルコントローラ
１３  カメラ
１４  カメラ電源
１５  カメラコントローラ
【図１】
0005792570.tif 000002
【図２】
0005792570.tif 000003
【図３】
0005792570.tif 000004
【図４】
0005792570.tif 000005
【図５】
0005792570.tif 000006
【図６】
0005792570.tif 000007
【図７】
0005792570.tif 000008
【図８】
0005792570.tif 000009